【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
干渉を低減する方法であって、
第１の基地局において、少なくとも１つのアクセス端末から送信され、前記第１の基地局によって受信された信号を復調および復号することと、ここにおいて、前記信号はパケットに対応する時間分離されたサブパケットのインターレースを備え、
前記第１の基地局によって、前記信号の復調および復号された情報を第２の基地局に送信することと、
前記第２の基地局において前記信号を再構成することと、
前記第２の基地局のバッファにおいて前記再構成された信号を減算することとを備え、
前記信号の復調および復号された情報を前記第２の基地局に送信することは、前記インターレースの２つのサブパケットを受信する間に行われ、
前記信号を復号することは、前記パケットを復号することを試みることと、復号に成功したパケットに対する肯定応答信号を送信することと、復号に成功しなかったパケットに対する否定応答信号を送信することとを含み、
前記信号を復調および復号することは、前記時間分離されたサブパケットを復調することと、複数のアクセス端末から送信され、同じ時間フレーム内で前記第１の基地局によって受信された複数のサブパケットから複数のパケットを復号することを試みることとを含む、方法。
【請求項２】
前記第２の基地局において前記アクセス端末から前記信号の少なくとも一部を受信することをさらに備える、請求項１に記載の方法。
【請求項３】
前記第２の基地局が前記アクセス端末の通信範囲内にある、請求項１に記載の方法。
【請求項４】
前記信号はパイロット、オーバーヘッドチャネル、およびトラヒックチャネルのうちの少なくとも１つを含む、請求項１に記載の方法。
【請求項５】
前記復調および復号された情報は複数の復号されたデータビット、複数の再符号化されたデータビット、複数の変調されたシンボル、および複数の変調／インタリーブされたシンボルのうちの少なくとも１つを含む、請求項１に記載の方法。
【請求項６】
前記第２の基地局において複数のチャネルパラメータを推定するために前記復調および復号された情報を使用することをさらに備える、請求項１に記載の方法。
【請求項７】
前記複数のチャネルパラメータは複数のマルチパス遅延および複数のチャネル係数のうちの少なくとも１つを含む、請求項６に記載の方法。
【請求項８】
前記複数のチャネルパラメータは直交周波数分割多重化（ＯＦＤＭ）トーンの振幅および位相のうちの少なくとも１つを含む、請求項６に記載の方法。
【請求項９】
前記第２の基地局において前記信号を再構成することは符号化、変調、およびフィルタリングを含む、請求項１に記載の方法。
【請求項１０】
前記第２の基地局において前記信号を再構成することは符号化、変調、およびフーリエ変換を含む、請求項１に記載の方法。
【請求項１１】
前記復調および復号された情報を第２の基地局に送信することは、前記第１の基地局と第２の基地局との間の直接リンクを使用する、請求項１に記載の方法。
【請求項１２】
前記復調および復号された情報を前記第２の基地局に送信することは、前記第１の基地局および前記第２の基地局と通信する基地局コントローラを使用する、請求項１に記載の方法。
【請求項１３】
前記信号は符号分割多元接続信号である、請求項１に記載の方法。
【請求項１４】
前記信号は直交周波数分割多重化信号である、請求項１に記載の方法。
【請求項１５】
干渉を低減するシステムであって、
第１の基地局と、
第２の基地局とを備え、
前記第１の基地局は、少なくとも１つのアクセス端末から送信され、パケットに対応する時間分離された複数のサブパケットのインターレースを備えた信号を復調および復号するように構成された受信機、並びに前記信号の復調および復号された情報を前記第２の基地局に送信するもので、前記インターレースの２つのサブパケットを受信する間に前記信号の復調および復号された情報を前記第２の基地局に送信するように構成された送信機を含み、前記パケットを復号することを試み、復号に成功したパケットに対する肯定応答信号を送信し、復号に成功しなかったパケットに対する否定応答信号を送信するように構成され、
前記受信機は前記時間分離されたサブパケットを復調し、複数のアクセス端末から送信され、同じ時間フレーム内で前記第１の基地局によって受信された複数のサブパケットから複数のパケットを復号することを試みるようにさらに構成され、
前記第２の基地局は前記第２の基地局において前記信号を再構成するように構成された信号再構成ユニット、並びに前記第２の基地局においてバッファ出力から前記再構成された信号を減算するように構成された減算器を含む、システム。
【請求項１６】
前記第２の基地局は前記少なくとも１つのアクセス端末から前記信号の少なくとも一部を受信する受信機をさらに備える、
請求項１５に記載のシステム。
【請求項１７】
前記第２の基地局は前記少なくとも１つのアクセス端末の通信範囲内にある、請求項１５に記載のシステム。
【請求項１８】
前記信号は、パイロット、オーバーヘッドチャネル、およびトラヒックチャネルのうちの少なくとも１つを含む、請求項１５に記載のシステム。
【請求項１９】
前記復調および復号された情報は、複数の復号されたデータビット、複数の再符号化されたデータビット、複数の変調されたシンボル、および複数の変調／インタリーブされたシンボルのうちの少なくとも１つを含む、請求項１５に記載のシステム。
【請求項２０】
前記第２の基地局は複数のチャネルパラメータを推定するために前記復調および復号された情報を使用するように構成される、請求項１５に記載のシステム。
【請求項２１】
前記複数のチャネルパラメータは複数のマルチパス遅延および複数のチャネル係数のうちの少なくとも１つを含む、請求項２０に記載のシステム。
【請求項２２】
前記複数のチャネルパラメータは直交周波数分割多重化（ＯＦＤＭ）トーンの振幅および位相のうちの少なくとも１つを含む、請求項２０に記載のシステム。
【請求項２３】
前記第２の基地局における前記信号の再構成は符号化、変調、およびフィルタリングを含む、請求項１５に記載のシステム。
【請求項２４】
前記第２の基地局における前記信号の再構成は符号化、変調、およびフーリエ変換の実行を含む、請求項１５に記載のシステム。
【請求項２５】
前記復調および復号された情報の前記第２の基地局への送信は、前記第１の基地局と前記第２の基地局との間の直接リンクを使用する、請求項１５に記載のシステム。
【請求項２６】
前記復調および復号された情報の前記第２の基地局への送信は、前記第１の基地局および前記第２の基地局と通信する基地局コントローラを使用する、請求項１５に記載のシステム。
【請求項２７】
前記信号は、符号分割多元接続信号である、請求項１５に記載のシステム。
【請求項２８】
前記信号は、直交周波数分割多重化信号である、請求項１５に記載のシステム。
【請求項２９】
干渉を低減するシステムであって、
少なくとも１つのアクセス端末から複数の信号を受信し、前記複数の信号を中央プロセッサに送信するように構成された複数の固定ユニットと、ここにおいて、前記複数の信号は、パケットに対応する時間分離された複数のサブパケットのインターレースを備え、
前記中央プロセッサと、ここにおいて、前記中央プロセッサは、前記複数の信号の複数のサンプルを格納するように構成されたバッファを含み、前記中央プロセッサは、前記バッファに格納された複数のサンプルを復調および復号し、複数の再構成サンプルを生成するために、前記復調および復号された複数のサンプルを再構成し、前記複数の再構成サンプルを前記バッファに格納された複数のサンプルから減算するように構成される、
を備え、
複数の特定サンプルが前記複数の特定サンプルを復号する確率に基づく順序で前記バッファにおいて復号するために選択される、
前記中央プロセッサは、前記パケットを復号することを試み、復号に成功したパケットに対する肯定応答信号を送信し、復号に成功しなかったパケットに対する否定応答信号を送信するようにさらに構成され、
前記複数のサンプルを復調および復号することは、前記時間分離された複数のサブパケットを復調し、前記時間分離された複数のサブパケットを復号することを試みることを含む、システム。
【請求項３０】
前記複数の固定ユニットは、地理的エリアにわたって空間的に分散し、各ユニットは、他の複数のユニットの別のセルと実質的に異なるセルから複数の信号を受信する、請求項２９に記載のシステム。
【請求項３１】
前記複数の固定ユニットによって前記中央プロセッサに送信される前記複数の信号は、変調および符号化された信号である、請求項２９に記載のシステム。
【請求項３２】
前記複数のユニットおよび前記中央プロセッサに連結された１つまたは複数の光ファイバをさらに備える、請求項２９に記載のシステム。
【請求項３３】
前記複数の固定ユニットの各々はアンテナ、増幅器、フィルタ、およびサンプラを含む、請求項２９に記載のシステム。
【請求項３４】
前記複数のバッファは複数のサブバッファを含み、各サブバッファは特定のユニットからの複数の信号サンプルを格納するように構成される、請求項２９に記載のシステム。
【請求項３５】
前記中央プロセッサは、２つまたはそれ以上の前記固定ユニットからの複数のマルチパス信号を結合するように構成される、請求項２９に記載のシステム。
【請求項３６】
前記中央プロセッサは前記アクセス端末から電力閾値を越える複数の信号を受信しなかった前記複数の固定ユニットの１つによって受信された複数のサンプルから前記複数の再構成サンプルを減算するように構成される、請求項２９に記載のシステム。
【請求項３７】
前記中央プロセッサは、前記アクセス端末から電力閾値を越える複数の信号を受信しなかった前記複数の固定ユニットの１つに対してチャネル推定を行うように構成される、請求項２９に記載のシステム。
【請求項３８】
前記複数の信号はパイロット、オーバーヘッドチャネル、およびトラヒックチャネルのうちの少なくとも１つを含む、請求項２９に記載のシステム。
【請求項３９】
前記中央プロセッサにおける前記信号の再構成は符号化、変調、およびフィルタリングを含む、請求項２９に記載のシステム。
【請求項４０】
前記中央プロセッサにおける前記信号の再構成は、符号化、変調、およびフーリエ変換の実行を含む、請求項２９に記載のシステム。
【請求項４１】
前記信号は、符号分割多元接続信号である、請求項２９に記載のシステム。
【請求項４２】
前記信号は、直交周波数分割多重化信号である、請求項２９に記載のシステム。
【請求項４３】
干渉を低減する方法であって、
複数の固定受信ユニットで、少なくとも１つのアクセス端末によって送信された信号を受信し、前記受信信号を中央プロセッサに転送することと、ここにおいて、前記信号は、パケットに対応する時間分離された複数のサブパケットのインターレースを備え、
前記中央プロセッサで、前記受信信号の複数のサンプルを格納することと、
前記中央プロセッサで、前記複数のサンプルを復調および復号することと、ここにおいて、前記複数のサンプルを復調および復号することは、前記時間分離された複数のサブパケットを復調することと、前記時間分離された複数のサブパケットを復号することを試みることとを含み、前記時間分離された複数のサブパケットを復号することを試みることは、復号に成功したパケットに対する肯定応答信号を送信することと、復号に成功しなかったパケットに対する否定応答信号を送信することと含み、
前記中央プロセッサにおいて、複数の再構成サンプルを生成するために、前記復調および復号された複数のサンプルを再構成することと、
前記中央プロセッサにおいて、前記複数の再構成サンプルを複数のサンプルから減算することと、ここにおいて、これら複数のサンプルは、これら複数のサンプルを復号する確率に基づく順序で復号するために選択される、
を含む、方法。
【請求項４４】
前記複数の固定ユニットによって前記中央プロセッサに転送される複数の信号は、変調および符号化された信号である、請求項４３に記載の方法。
【請求項４５】
２つまたはそれ以上のユニットからの複数のマルチパス信号を結合することをさらに含む、請求項４３に記載の方法。
【請求項４６】
前記少なくとも１つのアクセス端末から電力閾値を越える複数の信号を受信しなかった前記複数の固定ユニットの１つによって受信された複数のサンプルから、前記複数の再構成サンプルを減算することをさらに含む、請求項４３に記載の方法。
【請求項４７】
前記少なくとも１つのアクセス端末から電力閾値を越える複数の信号を受信しなかった前記複数の固定ユニットの１つに対してチャネル推定を実行することをさらに含む、請求項４３に記載の方法。
【請求項４８】
前記信号はパイロット、オーバーヘッドチャネル、およびトラヒックチャネルのうちの少なくとも１つを含む、請求項４３に記載の方法。
【請求項４９】
前記中央プロセッサにおいて再構成することは、符号化、変調およびフィルタリングを含む、請求項４３に記載の方法。
【請求項５０】
前記中央プロセッサにおいて再構成することは、符号化、変調、およびフーリエ変換の実行を含む、請求項４３に記載の方法。
【請求項５１】
前記信号は、符号分割多元接続信号である、請求項４３に記載の方法。
【請求項５２】
前記信号は、直交周波数分割多重化信号である、請求項４３に記載の方法。